(57)【要約】【課題】回転安定性が向上するので磁気テープの安定引き出しおよび巻き取りが保証され、もって磁気テープの巻き乱れやエッジ折れが起こらなくなる磁気テープリールを提供する。【解決手段】上リール４１と下リール４２とを結合して成る磁気テープリール４０において、上リール４１および下リール４２の一方又は両方の上面又は下面にリールの材料よりも比重の大きい材料、例えば、金属環４３を取り付けるようにした。【選択図】  図１
2004171675.tif 000002
【特許請求の範囲】
【請求項１】
上リールと下リールとを結合して成るテープリールにおいて、前記上リールおよび下リールの一方又は両方の上面又は下面に該リールの材料よりも比重の大きい材料を取り付けたことを特徴とするテープリール。
【発明の詳細な説明】
【０００１】
【発明の属する技術分野】
本発明は、磁気テープを巻装する単一リールに関し、特に回転の安定する単一リールに関するものである。
【０００２】
【従来の技術】
従来、コンピュータ等の外部記憶装置に用いられる記録媒体として使用されている磁気テープカートリッジとして、磁気テープを巻装した単一のリールが回転可能にカートリッジケース内に収容されたタイプのものが知られている。
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。
【０００３】
図４はこのような磁気テープカートリッジの一例を示す従来公知の分解斜視図である。図４において、磁気テープカートリッジ１０は、上ケース２０と下ケース３０とが締結されるカートリッジケース内に、上リール４１と下リール４２”とを結合して成る単一の供給リール４０”を回動自在に収容し、かつこの供給リール４０”に磁気テープ９を巻装して成るものである。
【０００４】
下リール４２”は外周に磁気テープ９が巻回される円筒状のリールハブ４２１と、このリールハブ４２１の下端外周から径方向に張り出したフランジ部４２２”とを合成樹脂により一体成型したもので、リールハブ４２１の底部外面に、供給リール４０”を回転駆動するマグネット式回転駆動手段を接合させるためのリールプレート５３が取付けられている。
また、リールハブ４２１の底部内面には、ブレーキボタン５２に形成された制止用ギア５２Ａと係合して不使用時の回転を拘束する制止用ギア４２Ａが刻設されている。
さらに、リールハブ４２１には、磁気テープカートリッジ１０を使用する外部記憶装置等の記録再生装置に設けられたドライブ解除スピンドルが挿通されて、ブレーキボタン５２を上方へ移動させるための開口４２Ｂが形成されている。
【０００５】
ブレーキボタン５２は、リールハブ４２１と対向する側に前記制止用ギア５２Ａが形成されており、それとは反対側の面に、上ケース２０に形成されたブレーキガイド突起（図示なし）が嵌合される嵌合溝５２Ｂが形成されている。
そして、ブレーキボタン５２はコイルバネ５１により、図中下方に付勢された状態でリールハブ４２１内部に装着されており、ブレーキボタン５２の制止用ギア５２Ａとリールハブ４２１の制止用ギア４２Ａとが咬み合って供給リール４０”の不使用時における回転が防止されている。
【０００６】
一方、カートリッジ使用時は、記録再生装置のドライブ解除スピンドル（図示なし）がブレーキボタン５２を押圧すると、ブレーキボタン５２がコイルバネ５１の付勢力に抗して図中上方へ移動し、これにより制止用ギア５２Ａと制止用ギア４２Ａの係合が解除され、供給リール４０”が回転自在とされる。
カートリッジケース１０の一側壁には、磁気テープ９を引き出すための開口部３２が形成されている。開口部３２にはカートリッジケース１０の側壁に平行な方向に移動可能なスライドドア３１が取付けられている。スライドドア３１はバネにより、開口部３２を閉じる方向に付勢されている。
【０００７】
また、長尺の磁気テープ９の一方の端部はリールハブ４２１に固着され、このリールハブ４２１に巻回された外周側の端部である自由端部には、記録再生装置のドライブ機構がテープ９をカートリッジケース１０からスムーズに引き出し、記録再生装置の記録部や再生部等を含むテープ走行経路にテープ９を導入するためのリーダーピン８０が固着されている。
【０００８】
リーダーピン８０はドライブ機構が把持しやすいように、また不用意に磁気テープがケースから引き出されないように、リーダーピン保持部（図５の８１）にてケース内の一定の位置に係止されており、リーダーピン８０の一部にはケース側に形成された保持部に保持される被保持部が形成されている。
【０００９】
図５は図４のカートリッジケース１０を装填した記録再生装置の機能を説明する概略平面図である。
磁気記録再生装置１はテープ９を巻き取る途中で情報がその上に書き込まれたり、そこから読み出されたりするもので、磁気テープ９を巻き付けて成る供給リール４０を内蔵したカートリッジケース１０の装填部２と、磁気テープ９を巻き取る空の巻取リール６を内蔵する巻取部３と、読み取り／書き込みヘッド７と、磁気テープ９を所定の経路へ案内する多数のローラ８とから構成されている。
カートリッジケース１０を装填部２に装填し、スタートさせると、磁気記録再生装置１のドライブ機構（図示なし）がリーダーピン８０をリーダーピン保持部８１から外してカートリッジケース１０から引き出し、多数のローラ８の案内で、記録再生装置１の読み取り／書き込みヘッドを通過して巻取リール６へと巻き取られる。この間読み取り／書き込みヘッド７の上で情報の読み取り／書き込みがなされる。
終了時は、この逆を辿って磁気テープ９は巻取リール６からカートリッジケース１０内に戻される。
【００１０】
【発明が解決しようとする課題】
図６は図４に示す従来の磁気テープリール部分の分解斜視図である。
図において、４０”は磁気テープリール、４１は上リール、４２”は下リールで、外周に磁気テープが巻回される円筒状のリールハブ４２１と、このリールハブ４２１の下端外周から径方向に張り出したフランジ部４２２”とを合成樹脂により一体成形したものである。
【００１１】
このような磁気テープリールを用いた場合、次のような不具合が発生する。
磁気記録再生装置においてスタートさせると、磁気テープリール（供給リール）４０”上の磁気テープが巻取リール６へと等速で巻き取られてゆく。巻き取りスタート時点では供給リール４０”上の磁気テープは満巻き状態にあるので供給リール４０”の回転モーメントが大きくしかも回転速度は遅いが、巻回が進むにつれて供給リール４０”上の磁気テープ巻径が次第に少なくなり、したがって磁気テープリール４０”の回転数が上昇してゆき、かつ磁気テープリール４０”自体の重さが次第に軽くなってゆくため、磁気テープリール４０”が上下に振れて回転安定性が低下する。この回転安定性の低下によって、磁気テープの安定した引き出しや巻き取りが出来なくなり、ある回の巻回テープと次の回の巻回テープとがきっちりと重ならずにズレること（すなわち、巻き乱れ）が起こる。
このような巻き乱れが起きると、テープエッジが上下リールに接触して折れ等の問題が発生することがあった。
【００１２】
一方、単一リールに巻装した磁気テープをカートリッジケースの開口部から引き出して巻き取る際のテープ高さ方向の振れを規制して走行の安定化を図るものとして、例えば、特許文献１に記載のものがあった。
【００１３】
【特許文献１】
特開平１１−３３９４３８号公報
【００１４】
これは単一リールを回転可能にカートリッジケースに収容し、カートリッジケースの開口部から磁気テープを引き出して走行させる際に、磁気テープの側辺に接触可能なテープ高さ規制手段が開口部近傍のテープ走行領域にかかるように上ケース及び下ケースに設けたものであって、テープ高さ規制手段でテープ高さ方向の振れを規制するものであり、単一リール自体の回転安定性を改善するものではなく、また磁気テープの側辺がテープ高さ規制手段に接触するので磁気テープ側辺が損傷する恐れがあった。
本発明はこれらの欠点を解決するもので、供給リール自体の回転安定性を確保することによって、磁気テープの安定引き出しおよび巻き取りを保証し、もって磁気テープの巻き乱れが起こらない又エッジ折れ等の問題も起こらないような供給リールを提供することにある。
【００１５】
【課題を解決するための手段】
上記課題を解決するため、請求項１記載の磁気テープリールの発明は、上リールと下リールとを結合して成る磁気テープリールにおいて、前記上リールおよび下リールの一方又は両方の上面又は下面に該リールの材料よりも比重の大きい材料を取り付けたことを特徴とする。
以上の構成により、供給リール自体の慣性モーメントが従来製品と比べて大きくなり、回転安定性が向上するので磁気テープの安定引き出しおよび巻き取りが保証され、もって磁気テープの巻き乱れやエッジ折れが起こらなくなる。
【００１６】
【発明の実施の形態】
以下、本発明の実施の形態について図面に基づいて詳細に説明する。
図１は本発明の実施の形態にかかる単一リールの一例を示す分解斜視図である。
図において、上リール４１と下リール４２とを結合して単一の供給リール４０を構成し、下リール４２の下面（反上リール側）外周部に、薄い金属環４３を接着剤等で取り付けるものである。薄い金属環４３の重量は、磁気テープのフル巻回の時の重さ程度が好ましい。
例えば、（１）磁気テープ長が８７ｍ（記憶容量１０ＧＢ）の場合は１５ｇ、
（２）２０３ｍ（３０ＧＢ）の場合は３５ｇ、
（３）３１９ｍ（５０ＧＢ）の場合は５５ｇ、
（４）６０９ｍ（１００ＧＢ）の場合は１０６ｇとなっている。
金属としては、鉄、銅、ステンレス、等を用いることができる。
このように磁気テープのフル巻回の時の重さ程度を付加することにより、供給リール自体の慣性モーメントが大きくなり、回転安定性が向上するので磁気テープの安定引き出しおよび巻き取りが保証され、もって磁気テープの巻き乱れやエッジ折れが起こらなくなった。
この薄い金属環４３は下リールの下面の外周部に沿う大きさのものが回転安定性の点から望ましいが、もちろんこれに限定されるものではなく、下リール４２の下面の軸側、上リール４１の上面外周部、上面の軸側、下面等に取り付けることも可能である。
【００１７】
図２は供給リール自体の回転安定性を確保するために金属環４３を用いる図１に示す例に代わる各種変形例である。（ａ）は金属錘の張り付けタイプ、（ｂ）金属クリップのインサートタイプ、（ｃ）は上リールへの取り付けタイプをそれぞれ示している。
（ａ）において、４１は上リール、４２は下リール、４３’は張り付け用の金属錘の１個を示している。図ではこのような金属錘４３’を８個用い、これらを下リール４２のリール軸中心に点対称に等間隔でリール外周近辺に取り付けている。金属錘４３’の形状、大きさ、材質、個数は設計で任意に選べばよいが、取り付けに際しては、リールの軸中心として重量分布が偏在しないようにリール軸中心に点対称に等間隔に取り付けることが必要である。
このように、金属錘４３’を供給リールに取り付けることにより、自体の慣性モーメントが従来製品と比べて大きくなり、回転安定性が向上するので磁気テープの安定引き出しおよび巻き取りが保証され、もって磁気テープの巻き乱れやエッジ折れが起こらなくなる。
【００１８】
次に、（ｂ）において、４１は上リール、４２は下リール、４３”はインサートタイプ用の金属クリップを示している。金属クリップ４３”は図の吹き出し部に示すように、断面コ字条の小断片形状クリップを外周に沿って、点在配置してもよいし、連続配置してもよい。
また、小断片形状金属クリップ４３”に代えて、リールの軸中心としてそれぞれ中心角６０度、９０度、１２０度、１８０度に亘る幅広の金属クリップをはめ込むようにしてもよい。
このように、金属クリップ４３”を供給リールにはめ込むだけでよいので、既存の磁気テープリールに簡単に適用することができ、回転安定性が向上するので磁気テープの安定引き出しおよび巻き取りが保証され、もって磁気テープの巻き乱れやエッジ折れが起こらなくなる。
【００１９】
次に、（ｃ）において、４１は上リール、４２は下リール、４３”’は金属錘を示している。（ａ）では金属錘４３’を下リール４２の下側に取り付けていたが、ここでは上リール４１の上側に取り付けている。
このように、金属錘４３”’を上リール４１に取り付けることにより、同じく回転安定性が向上することとなる。
この他、金属錘４３’を下リール４２の下側に取り付けかつ金属錘４３”’を上リール４１に取り付けてもよい。さらに、（ｂ）の金属クリップを併用してもよい。
【００２０】
図１および図２に示す実施の形態は、供給リールの回転安定性を確保するため供給リールとは別体の重量物を供給リールに付加した例であるが、図３は、供給リール自体を回転安定性のよい形状にした例を示している。
図３において、４０’は磁気テープリール、４１は上リール、４２’は下リールで、外周に磁気テープが巻回される円筒状のリールハブ４２１と、このリールハブ４２１の下端外周から径方向に張り出したフランジ部４２２’とを合成樹脂により一体成型したものである。上リール４２は従来品と同じくその軸方向厚みが半径方向に一定であるのに対して、下リール４２’のフランジ部４２２’は本実施形態によりその軸方向厚みが半径方向に増加しているのが特徴である。
このように、上リールおよび下リールの一方又は両方の肉厚を根元よりも外周の方を厚くすることにより、供給リール自体の慣性モーメントが大きくなり、回転安定性が向上するので磁気テープの安定引き出しおよび巻き取りが保証され、もって磁気テープの巻き乱れやエッジ折れが起こらなくなる。
また、外周部を肉厚とするので樹脂が流れやすくなり、成形がし易くなる、という副次的な効果も得られる。
上記説明では、下リール４２’のフランジ部４２２’について軸方向厚みを半径方向に増加させたが、逆に上リール４１について軸方向厚みを半径方向に増加させたるようにしても良く、また、その両方の併用でももちろんよい。
【００２１】
以上は、磁気テープについてのリールについて説明してきたが、勿論磁気テープに限られるものではなく、テープ状物が巻き取られたリールで高速で巻回回転する可能性のあるリールすべてについて当てはまることである。
【００２２】
【発明の効果】
以上のように、本発明によれば、上リールと下リールとを結合して成る磁気テープリールにおいて、前記上リールおよび下リールの一方又は両方の上面又は下面に該リールよりも比重の大きい材料を取り付けたものであり、具体的には、金属環又は金属錘をリールの外周に沿って又は点在させたものである。
このようにすることにより、供給リール自体の慣性モーメントが大きくなり、回転安定性が向上するので磁気テープの安定引き出しおよび巻き取りが保証され、もって磁気テープの巻き乱れやエッジ折れが起こらなくなる。
また、金属環又は金属錘に代わるものとして、上リールおよび下リールの一方又は両方の肉厚を根元よりも外周の方を厚くすることにより、供給リール自体の慣性モーメントが大きくなり、回転安定性が向上するので磁気テープの安定引き出しおよび巻き取りが保証され、もって磁気テープの巻き乱れやエッジ折れが起こらなくなると共に、外周部を肉厚とするので樹脂が流れやすくなり、成形がし易くなる、という副次的な効果も得られる。
【図面の簡単な説明】
【図１】本発明の実施の形態にかかる単一リールの一例を示す分解斜視図である。
【図２】供給リール自体の回転安定性を確保するための他の実施の形態である。
【図３】供給リール自体を回転安定性の得られる形状にした実施例を示す図である。
【図４】従来の磁気テープカートリッジの一例を示す分解斜視図である。
【図５】図４の磁気テープカートリッジを装填した記録再生装置の機能を説明する概略平面図である。
【図６】図４に示す従来の磁気テープリール部分の分解斜視図である。
【符号の説明】
１  磁気記録再生装置
２  装填部
３  巻取部
６  巻取リール
７    読み取り／書き込みヘッド
８  ローラ（多数）
９  磁気テープ
１０  磁気テープカートリッジ
２０  上ケース
３０  下ケース
３１  スライドドア
３２  開口部
４０  単一の供給リール
４１  上リール
４２、４２’  下リール
４２Ａ  制止用ギア
４２Ｂ  開口
４２１  円筒状リールハブ
４３、４３’、４３”、４２３”’  リール材よりも比重の大きい材料
４２２、４２２’  フランジ部
５１  コイルバネ
５２  ブレーキボタン
５２Ａ  制止用ギア
５２Ｂ  嵌合溝
５３  リールプレート
８０  リーダーピン
【図１】
2004171675.tif 000003
【図２】
2004171675.tif 000004
【図３】
2004171675.tif 000005
【図４】
2004171675.tif 000006
【図５】
2004171675.tif 000007
【図６】
2004171675.tif 000008